(57)【要約】      （修正有）【課題】伸縮コード付き鍵等で強引な引っ張りを受けても伸縮コードの端部に結合する部位の継ぎ目が破損しない伸縮コードの端子止め構造を提供する。【解決手段】軟質のチューブ体１に、ポリエステルなどの芯糸２を貫通してなる伸縮コードＡを使い、伸縮コードの片方の端子に回転リング３付きのクリップ体４を結合し、他方の端子には鍵などの用具を取り付けるリング体５を結合してなる伸縮コード付き鍵などにおいて、芯糸２本を端子部６で折り曲げ、回転リングまたはリング体に通し絡ませて結び、芯糸の端末７では２本が一体でコブ状に結ばれ、これらの結びに被せられたチューブ体の端部に短い軟質のパイプ８を結びにまたがって覆い被せて、結び目のくびれ部を更に金属製のカシメリング体９で巻きつけて伸縮コードの端子に回転リングまたはリング体を結合する。【選択図】図１
0003193763.tif 000002
【実用新案登録請求の範囲】
【請求項１】
軟質のチューブ体（１）に、ポリエステルなどの芯糸（２）を貫通してなる伸縮コード（Ａ）を使い、該伸縮コードの片方の端子に回転リング（３）付きのクリップ体（４）を結合し、他方の端子には鍵などの用具を取り付けるリング体（５）を結合してなる伸縮コード付き鍵などにおいて、前記する回転リングまたはリング体に最適に伸縮コード端子を結合する為に、前記する芯糸の端子部を折り曲げ回転リング、またはリング体に通し絡ませ（６）て結び、芯糸の端末は２本が一体でコブ状（７）に結ばれ、これらの結びに被せられたチューブ体の端部に短い軟質のパイプ（８）を前記する二つの結びにまたがって覆い被せて、二つの結び目のくびれ部を更に金属製のカシメリング体（９）で巻きつけて伸縮コードの端子に回転リングまたはリング体を結合したことを特徴とする、伸縮コードの端子止め構造。
【考案の詳細な説明】
【技術分野】
【０００１】  この考案は、鍵などに接続する伸縮コードに関し、詳しくは、身体側にぶら下げて携帯する鍵をズボンのポケットなどに出し入れの出来る程度の短い伸縮コードで鍵を吊るし、使用時は鍵を摘んで伸縮コードを目いっぱい伸ばしながら、身体側に吊るしたまま離れた場所にある鍵の開閉操作の出来る鍵などに接続する伸縮コードの端子の止め構造に関する。
【背景技術】
【０００２】  この種の従来の技術として、［図３］で示すに、伸縮コードＡＡ付きでなる鍵は、一般的に知られる技術として、細い多数のステンレス線２０２でなる縒り線ワイヤ芯の廻りにウレタンゴム等の弾性材を覆って被履部とすることにより螺旋部１０１を含む所要の形を保つ様にした構成で、該二層でなる螺旋状の伸縮コードの端子に引っ張り力が働くことで、引き伸ばされ引っ張り力が解除される事で、自然長に戻るバネ式である。そして、該伸縮コードの片方の端子は身体側に結合する縒り戻し用具の回転リング３０３または他方の端子は鍵側のリング体に結合する端子止め構造は、予めアルミニウム製または真鍮製のカシメ管４０４に連結コードの端部に通してから、身体側に結合する縒り戻し具回転リングまたは鍵側に結合するリング体に通し折り返し再度カシメ管に挿入してから、カシメ管の外周に加圧しツブスなどでカシメて結合する伸縮コードの端子止め構造である。【０００３】  またこの種の最も近い従来の技術として［実用新案文献］に開示されるが、当該考案は、軟質のチューブにポリエステルなどの糸お弛ませて通したクッション体でなる釣り用クッションゴムに関しての端子止め構造が述べられている。即ち、チューブ体と糸の双方の端子を結合する縒り戻し用のリング体或いはリング体単体付での金属性の止め具の軸芯に段穴が開口貫通し、止め具の細い外形部には抜け止め部を具備し、更に止め具の太い外形部での軸芯に開口する段穴の段差に前記糸の端子が挿し込まれ結び目が作られろ。そして、前記チューブ体の端子は抜け止め部に固くさし込まれ、該止め具にクッション体を構成するチューブ体と糸の双方の端子が止められる構成での実施例が開示されている。伸縮コードの両端子に結合する用具は用途によって様々な選択は特定するものでない。
【実用新案文献】
【０００４】
【実用新案文献１】
実開２００９−３７６９号広報
【考案の開示】
【考案が解決しようとする課題】
【０００５】  しかしながら、上述する伸縮コード付きでなる鍵に構成する伸縮コードはステンレス線の縒り線ワイヤを弾性材のウレタンゴムを被せたコードを密着コイル巻きに形成された螺旋体が伸び縮みを行なう為、携帯での鍵の持ち運びと操作に重く弛みが絡まる等の扱い難さが有り、更には、伸縮コードの端子の結合はカシメ管を使い、金属のワイヤ芯に被った弾性材のウレタンゴムを組み合わせてカシメる為結束強度を高めるのに難があり、引っ張りでの金属ワイヤ芯と其れに被せられる弾性材のウレタンゴムとの双方の滑り摩擦抵抗が小さい為め金属ワイヤ芯が抜け易い等から、強引な引っ張り操作時にカシメ管部に発生するトラブルは免れない等の課題を残す。そしてまた、実用新案文献１に於いては、上述する伸縮コードは螺旋体と違い、伸縮自在な熱可塑性ポリウレタン樹脂材等のチューブ体の中空部に弛ませて貫通してなるポリエステルなどの糸を使ってのクッション体の先端は金属製の止め具を使い結合するが、止め具の軸芯に開口する段穴の段差に糸の端子がコブ状に結ばれ紐の抜け防止のため、クッション体に負荷する引っ張り時に、コブ状の結び目に集中荷重を繰り返し受けることで、糸の結び目が緩んで解けたり、切断したりする等の糸の破損は、クッション体の正常な機能を保持出来なくなるという課題を残す。このように従来の技術での伸縮コードを使う様々な用具に於いて、伸縮コードの端子組み付けのチューブ体の端子と糸の端子をリング体などに堅剛に結合する為のつなぎ目の構造部の改良が元より要望されていた。【０００６】  また上述する従来技術で以前から利用される「工具落下防止用安全紐」類に構成する螺旋状の伸縮コードでは、鍵等と組み合わせて構成するのが一般的に知られているが多々課題があり、上述での「釣り用クッションゴム」類で成る伸縮コードを使っての端子止め構造を最適なものにすることで鍵等に接続する伸縮コードとして、優れた効果を奏すると考察するに至った。
【課題を解決するための手段】
【０００７】  この考案は、係る課題を解決する為に、請求項１での考案は、図１での全体を示しての斜視図と図２での要部縦断面図で述べるに、軟質のチューブ体１に、ポリエステルなどの芯糸２を貫通してなる伸縮コードＡを使い該伸縮コードの片方の端子に回転リング３付きクリップ体４を結合し、他方の端子にリング体５を結合してなる伸縮コード付きでなる鍵などにおいて、前記する縒り戻しを構成する回転リングまたは鍵を接続するリング体を最適に伸縮コードに結合する為に、前記芯糸の端子部を折り曲げ回転リングまたはリング体に絡ませ６結び、該芯糸の端末はコブ状７に結ばれ、これらの結びに被せられたチューブ体の端部に短い軟質のパイプ８を使い、前記する二つの結びのコブ状にまたがって被せられ、二つの結び目のコブ状のくびれ部を金属製のカシメリング体９で巻きつけて伸縮コードの端子に回転リングまたはリング体を結合したことを特徴とする、伸縮コードの端子止め構造。
【考案の効果】
【０００８】  本考案は上述の通り構成作用するので、次の優れた効果を奏する。
即ち、図１または図２で述べる第一実施例においては、伸縮コードに強烈な引っ張り力が働いても回転リングまたはリング体との芯糸のつなぎ目は、二本並列での絡ませ結びで強靱な結合を構成し、つなぎ目での切断を解決出来る。また二つのコブ状のくびれ部でチューブ体にかぶったパイプを介してカシメリング体でカシメられることで、チューブ体と芯糸が一体化しチューブが抜ける等のない強靱な伸縮コードの端子止め構造を提供出来る。
【考案を実施するための最良な形態】
【０００９】  以下に図示の実施例に基づいて本考案を更に詳細に説明する。即ち、図１は本考案での第一実施例の全体を示しての斜視図と図２は本考案での要部縦断面図で述べるが、所定の長さでなる軟質のチューブ体１の中空部に貫通して弛ませた芯糸２を貫通させての二層構成での伸縮コードＡとするが、詳しくは、軟質のチューブ体の材質は熱可塑性ポリウレタンエラストマー或いはシリコンゴム等が最適で、チューブ体の中空部を通して使う芯糸は非伸縮性のポリエステルやポリエチレンまたはナイロン等の材質でなる撚糸の化学繊維が選定されて構成される。本考案では、前記するチューブ体の自然長に弛ませて挿入する芯糸の全長はチューブ体の長さの約２倍にし、チューブ体の長さの伸縮は常時２倍の最大伸び内の芯糸の長さを最大伸びを限界とすることで、チューブ体の組成変形やへたりで伸び切れ等の支障を来たす事のない構成で成る。該伸縮コードの両端子のそれぞれにには、身体側に連結するクリップ体４に設けた縒り戻しの回転リングと鍵の連結するリング体５を結合する。
【００１０】そして図２は前記する伸縮コードの片方の端子に縒り戻しの回転リングを結合する構成の縦断面図で述べるが、前記するチューブ体に通された芯糸の端子部を折り曲げて、回転リングの輪の中に曲げ部を挿し込み絡ませ６て結び、折り曲げた短い端末は２本とも一緒にコブ状に結ばれ、二つの結び目が近接して構成する。そしてあらかじめチューブ体の端部に覆い被せられた短い軟質のパイプ８と二層に構造し、前記する二つの結びにまたがって覆い被せられ、該軟質のパイプで覆い被った二つのコブ状の結びのくびれ部を金属製のカシメリング体９で固く巻きつけ結束される。即ち、伸縮コードを構成する芯糸端子のみが回転リングまたはリング体に結合しつなぎ目となり、該芯糸にチューブ体が被せられ該チューブ体の端子に覆い被せられたパイプが金属毒性製のカシメリング体で固く結束され、伸縮コードの端子に回転リングまたはリング体が結合する最適な構成を具現化する。
【００１１】本実施例では、前記する伸縮コードの片方の端子の回転リングはクリップ体と組み合って絡み止めの機能で身体側に装着し、そして他方の端子には結合するリング体には鍵が吊るされる。比較的短い伸縮コードに結合する鍵をポケットに出し入れし或いは身体にたれ下げたままの鍵を引き伸ばし、身体側から離れた位置にある用具の鍵の開閉操作で強引に一定の長さに伸ばしたままで鍵を引きながら操作が出来、伸び縮みの繰り返しで伸縮コードのヘタリや途中で切れたりすることのない伸縮コードの端子止め構造である。
【図面の簡単な説明】
【００１２】
【図１】  本考案に係わる第１実施例での全体を示しての斜視図である。
【図２】  本考案に係わる第１実施例での要部を示しての縦断面図である。
【図３】  従来技術での要部を示して一部断面での斜視図である。
【符号の説明】  Ａ  伸縮コード
１  チューブ体
２  芯糸
３  回転リング
４  クリップ体
５  リング体
６  絡ませ
７  コブ状
８  パイプ
９  カシメリング体
【図１】
0003193763.tif 000003
【図２】
0003193763.tif 000004
【図３】
0003193763.tif 000005
【手続補正書】
【提出日】平成26年8月9日(2014.8.9)
【手続補正１】
【補正対象書類名】実用新案登録請求の範囲
【補正対象項目名】全文
【補正方法】変更
【補正の内容】
【実用新案登録請求の範囲】
【請求項１】
軟質のチューブ体（１）に、ポリエステルなどの芯糸（２）を貫通してなる伸縮コード（Ａ）を使い、該伸縮コードの片方の端子に回転リング（３）付きのクリップ体（４）を結合し、他方の端子には鍵などの用具を取り付けるリング体（５）を結合してなる伸縮コード付き鍵などにおいて、前記する回転リングまたは前記リング体（５）に最適に伸縮コード端子を結合する為に、前記する芯糸の端子部を折り曲げ回転リング、または前記リング体（５）に通し絡ませて結び、芯糸の端末はコブ状に結ばれ、これらの結びに被せられたチューブ体の端部に短い軟質のパイプ（８）を前記する二つの結びにまたがって覆い被せて、二つの結び目のくびれ部を更に金属製のカシメリング体（９）で巻きつけて伸縮コードの端子に回転リングまたは前記リング体（５）を結合したことを特徴とする、伸縮コードの端子止め構造。